(57)【要約】【課題】類似するコンテンツ情報が複数ある場合には、コンテンツ情報をグループ化して代表するコンテンツ情報を一覧用画像として表示することで、限られたスペースで多様な情報を一覧することができ、また類似するコンテンツ情報の数を表示することができるので、見やすく、分かり易い形で類似コンテンツ情報の存在を表示することができる端末装置を提供する。【解決手段】ネットワークを介して接続可能な端末装置１００であって、コンテンツ情報を取得する取得部３１と、対象コンテンツ情報を選択する選択部３４と、一覧用画像を生成する一覧用画像生成部３５と、互いに類似するコンテンツ情報をグループ化するコンテンツ情報グループ化手段と、一覧表示画面を生成する表示画面生成部３６とを有し、表示画面生成部３６は、代表する一の対象コンテンツ情報の一覧用画像を表示し、グループに含まれる対象コンテンツ情報の数を表示する。【選択図】図５
2014157542.tif 000002
【特許請求の範囲】
【請求項１】
ネットワークを介して接続可能な端末装置であって、
前記ネットワークを介してコンテンツ情報を取得する取得手段と、
前記取得手段により取得するコンテンツ情報から表示対象とする対象コンテンツ情報を選択する選択手段と、
前記対象コンテンツ情報を一覧として表示するための一覧用画像を、該対象コンテンツ情報または該対象コンテンツ情報の取得のために配信される配信用情報から生成する一覧用画像生成手段と、
前記対象コンテンツ情報に複数含まれる互いに類似するコンテンツ情報をグループ化するコンテンツ情報グループ化手段と、
前記一覧用画像生成手段により生成された一覧用画像が所定数配置された一覧表示画面を生成する表示画面生成手段と、を有し、
該表示画面生成手段は、前記コンテンツ情報グループ化手段によりグループ化された前記対象コンテンツ情報を代表する一の対象コンテンツ情報の一覧用画像を該グループの一覧用画像として表示し、該グループに含まれる対象コンテンツ情報の数を表示することを特徴とする端末装置。
【請求項２】
前記表示画面生成手段は、前記グループに含まれる対象コンテンツ情報の数を、前記グループの一覧用画像に重なるように表示することを特徴とする請求項１記載の端末装置。
【請求項３】
前記表示画面生成手段は、前記グループに含まれる対象コンテンツ情報の数を、前記グループの一覧用画像の近傍に表示することを特徴とする請求項１記載の端末装置。
【請求項４】
前記コンテンツ情報グループ化手段は、前記対象コンテンツ情報に含まれる単語の出現回数に基づいて前記対象コンテンツ情報をグループ化することを特徴とする請求項１ないし３のいずれか１項に記載の端末装置。
【請求項５】
前記コンテンンツ情報グループ化手段は、前記対象コンテンツ情報の配信時間に基づいて前記対象コンテンツ情報をグループ化することを特徴とする請求項１ないし４のいずれか１項に記載の端末装置。
【請求項６】
さらに前記端末装置への操作内容に基づいて、該端末装置のユーザの興味情報を解析する興味解析手段を有し、
前記選択手段は、前記興味解析手段で解析された前記興味情報に基づいて、前記取得手段により取得された配信用情報に対応するコンテンツ情報から表示対象とするコンテンツ情報を選択することを特徴とする請求項１ないし５のいずれか１項に記載の端末装置。
【請求項７】
前記興味解析手段は、コンテンツ情報の再生および記録に関連する操作として予め定められた操作それぞれの有無を解析することにより、前記端末装置のユーザの興味情報を解析することを特徴とする請求項６記載の端末装置。
【請求項８】
ネットワークを介して接続可能な端末装置のプログラムであって、
前記ネットワークを介してコンテンツ情報を取得する取得手順と、
前記取得手順により取得するコンテンツ情報から表示対象とする対象コンテンツ情報を選択する選択手順と、
前記対象コンテンツ情報を一覧として表示するための一覧用画像を、該対象コンテンツ情報または該対象コンテンツ情報の取得のために配信される配信用情報から生成する一覧用画像生成手順と、
前記対象コンテンツ情報に複数含まれる互いに類似するコンテンツ情報をグループ化するコンテンツ情報グループ化手順と、
前記一覧用画像生成手順により生成された一覧用画像が所定数配置された一覧表示画面を生成する表示画面生成手順と、
前記コンテンツ情報グループ化手順によりグループ化された前記対象コンテンツ情報を代表する一の対象コンテンツ情報の一覧用画像を前記グループの一覧用画像として表示し、前記グループに含まれる対象コンテンツ情報の数を表示する手順と、を前記端末装置に実行させることを特徴とする端末装置のプログラム。
【発明の詳細な説明】
【技術分野】
【０００１】
本発明は、ネットワークを介して取得したコンテンツ情報を表示できる端末装置および装置のプログラムに関する。
【背景技術】
【０００２】
近年、インターネットが普及し、光ファイバーによる通信が発達したことにより、パーソナルコンピュータや端末装置に画像配信がされる機会が増加している。ウェブページを閲覧するユーザが関心や興味をもつニュースやスポーツ等の情報を閲覧する場合、画像情報に見出しが付いた画像一覧が表示される技術が知られている。
【０００３】
特許文献１には、画像、音声、文字、数字等の保管形式の異なる情報に意味付けを行い、グループ化して登録を行い、登録された情報に対して検索、表示、認識を行う装置及び方法が開示されている。
この技術では、１つの入力情報に情報の変化や特徴のイベントが検出された場合、入力されている他の情報についてもイベント発生と同時刻に特徴や状況の抽出を行い、イベント内容と共に全ての情報の状況をグループ化して、時系列的に記録する。
【先行技術文献】
【特許文献】
【０００４】
【特許文献１】特開２００９−４８４２２号公報
【発明の概要】
【発明が解決しようとする課題】
【０００５】
しかし、特許文献１に開示されている技術は、画像、音声、文字、数字等の保管形式の異なる情報に意味付けを行い、グループ化して登録を行うことができるが、その中で類似する情報が複数ある場合には、どのくらいの数量の情報が表示されているか把握できないという問題があった。
【０００６】
本発明は、前記課題を解決するためのものであり、その目的とするところは、類似するコンテンツ情報が複数ある場合には、コンテンツ情報をグループ化して代表するコンテンツ情報を一覧用画像として表示することで、限られたスペースで多様な情報を一覧することができ、また類似するコンテンツ情報の数を表示することができるので、見やすく、分かり易い形で類似コンテンツ情報の存在を表示することができる端末装置を提供することにある。
【課題を解決するための手段】
【０００７】
かかる目的を達成するために、本発明に係る端末装置は、ネットワークを介して接続可能な端末装置であって、前記ネットワークを介してコンテンツ情報を取得する取得手段と、前記取得手段により取得するコンテンツ情報から表示対象とする対象コンテンツ情報を選択する選択手段と、前記対象コンテンツ情報を一覧として表示するための一覧用画像を、該対象コンテンツ情報または該対象コンテンツ情報の取得のために配信される配信用情報から生成する一覧用画像生成手段と、前記対象コンテンツ情報に複数含まれる互いに類似するコンテンツ情報をグループ化するコンテンツ情報グループ化手段と、前記一覧用画像生成手段により生成された一覧用画像が所定数配置された一覧表示画面を生成する表示画面生成手段と、を有し、前記表示画面生成手段は、前記コンテンツ情報グループ化手段によりグループ化された前記対象コンテンツ情報を代表する一の対象コンテンツ情報の一覧用画像を該グループの一覧用画像として表示し、該グループに含まれる対象コンテンツ情報の数を表示することを特徴とする。
【０００８】
また、本発明に係る端末装置のプログラムは、ネットワークを介して接続可能な端末装置のプログラムであって、前記ネットワークを介してコンテンツ情報を取得する取得手順と、前記取得手順により取得するコンテンツ情報から表示対象とする対象コンテンツ情報を選択する選択手順と、前記対象コンテンツ情報を一覧として表示するための一覧用画像を、該対象コンテンツ情報または該対象コンテンツ情報の取得のために配信される配信用情報から生成する一覧用画像生成手順と、前記対象コンテンツ情報に複数含まれる互いに類似するコンテンツ情報をグループ化するコンテンツ情報グループ化手順と、前記一覧用画像生成手順により生成された一覧用画像が所定数配置された一覧表示画面を生成する表示画面生成手順と、前記コンテンツ情報グループ化手順によりグループ化された前記対象コンテンツ情報を代表する一の対象コンテンツ情報の一覧用画像を該グループの一覧用画像として表示し、該グループに含まれる対象コンテンツ情報の数を表示する手順と、を前記端末装置に実行させることを特徴とする。
【発明の効果】
【０００９】
本発明によれば、類似するコンテンツ情報が複数ある場合には、コンテンツ情報をグループ化して代表するコンテンツ情報を一覧用画像として表示することで、限られたスペースで多様な情報を一覧することができ、また類似するコンテンツ情報の数を表示することができるので、見やすく、分かり易い形で類似コンテンツ情報の存在を表示することができる。
【図面の簡単な説明】
【００１０】
【図１】本発明の実施形態としての端末装置１００周りの構成例を示すブロック図である。
【図２】本実施形態の端末装置１００による動作例を示すフローチャートである。
【図３】該端末装置１００による表示画面の遷移例を示す図である。
【図４】アプリケーションの選択画面５０１の具体例を示す図である。
【図５】時間順の一覧表示画面５０２の具体例を示す図である。
【図６】カテゴリ順の一覧表示画面５０３の具体例を示す図である。
【図７】詳細表示画面５０６の具体例を示す図である。
【図８】興味設定画面５０７の具体例を示す図である。
【発明を実施するための形態】
【００１１】
次に、本発明に係る端末装置および装置のプログラムを適用した一実施形態について、図面を用いて詳細に説明する。
なお、本発明に係る端末装置は、例えばＰＣ、スマートフォンなど、各種のものであってよい。
【００１２】
図１に、本実施形態の端末装置１００周りの構成例を示す。本実施形態の端末装置１００は、図１に示すように、通信部１０と、操作表示部２０と、制御部３０と、記憶部４０とを備えて構成される。
【００１３】
通信部１０は、有線又は無線により、インターネットなどのネットワークを介して、各種Ｗｅｂサーバ等に接続する。また、ＴＶ受信用アンテナおよびＴＶチューナを備え、ＴＶ番組表やＴＶ番組放送を受信する。
【００１４】
操作表示部２０は、例えばタッチパネルディスプレイなどであり、各種情報を画面表示すると共に、ユーザによる操作入力を受ける。
【００１５】
制御部３０は、端末装置１００の制御を行い、情報取得部３１と、カテゴリ判別部３２と、興味解析部３３と、選択部３４と、一覧用画像生成部３５と、表示画面生成部３６と、を備えて構成される。
【００１６】
情報取得部３１は、通信部１０によりネットワークを介して各種のＷｅｂサーバ２００に接続し、設定に応じて所定種類の配信用情報を取得する。情報取得部３１が取得する所定種類の配信用情報は、例えば各種フィードなど、各種のＷｅｂサーバ２００に配信用として格納された情報であり、端末装置１００により再生対象となりうるコンテンツ情報の内容を示すものである。
【００１７】
取得対象とするフィードは、例えばＲＳＳ（RDF site summary）フィードなど、ＸＭＬ（Extensible Markup Language）、Ａｔｏｍ、ＲＤＦ（Resource Description Framework）等、アグリゲータで解釈可能な各種情報を含んでよい。また、必ずしもＯＳ（Operating System）がファイル形式として認識するものである必要はなく、例えばバイナリ形式のデータを含んだものであってもよい。
【００１８】
また、各種ＳＮＳ（Social Networking Service）を再生対象のコンテンツ情報とする場合、制御部３０は、例えばＡＰＩ（Application Programming Interface）を用いることで実現できる。この場合、情報取得部３１は、予め設定された人についてのアクティビティや投稿記事など、各種更新情報をＡＰＩから取得する。
【００１９】
また、通信部１０がＴＶ受信用アンテナおよびＴＶチューナを備えた構成である場合、情報取得部３１は、ＴＶ番組表を受信する。このことにより、情報取得部３１は、視聴可能なＴＶ番組についての各種情報を、再生対象となりうるコンテンツ情報の内容を示す所定種類の配信用情報として取得する。
【００２０】
また、再生対象のコンテンツ情報が、例えば地域のＷｅｂちらしなど、特定の要約された種類の配信用情報が存在しない情報である場合、情報取得部３１は、その再生対象のコンテンツ情報そのものをＷｅｂサーバ２００等から取得する。
【００２１】
このように、本実施形態の端末装置１００で再生対象としうるコンテンツ情報は、端末装置１００の構成に応じて、再生可能な任意の種類のコンテンツ情報を含んでよい。
【００２２】
カテゴリ判別部３２は、情報取得部３１により取得された所定種類の配信用情報に対応して再生対象とされるコンテンツ情報が、予め定められたカテゴリ単位の何れに分類されるかを判別する。
【００２３】
カテゴリ単位は、再生対象としうる多様なコンテンツ情報をその内容に応じて分類する分類単位であり、例えばサッカーのニュース、天気予報、所定地域のちらし情報、所定のＳＮＳなどを含んでよい。
また、予め定められたカテゴリ単位の一覧を示すカテゴリ単位テーブル４１は、記憶部４０に記憶される。カテゴリ単位テーブル４１に含まれるカテゴリ単位の一覧は、初期設定として定められる構成であってもよく、ユーザ設定により登録できる構成であってもよい。
【００２４】
カテゴリ判別部３２は、例えば情報取得部３１によるフィードの配信元情報により、再生対象とされるコンテンツ情報が含まれるカテゴリ単位を判別する。
また、カテゴリ判別部３２は、情報取得部３１により取得された所定種類の配信用情報の内容を解析することにより判別してもよい。この場合、例えば取得された所定種類の配信用情報に含まれるテキストデータに所定のキーワードが含まれるか否かで判別するなど、判別方法は各種の方法を用いることができる。
【００２５】
興味解析部３３は、再生対象とされたコンテンツ情報への操作内容に応じて、端末装置１００のユーザの興味情報を解析する。興味解析部３３による興味情報の解析では、コンテンツ情報の再生および記録に関連する操作として予め定められた操作が行われた場合に、その操作内容に応じて予め定められたポイントを、操作対象とされたコンテンツ情報に付与する。
【００２６】
例えば、Ｗｅｂブラウザ等によるコンテンツ情報の再生操作が行われた場合、再生対象のコンテンツ情報に１ポイント付与する。また、記憶部４０への保存操作が行われた場合、保存対象とされたコンテンツ情報に３ポイント付与する。また、再生されたコンテンツに対して「いいね」ボタンなどにより投稿が行われた場合、そのコンテンツ情報に５ポイント付与する。また、コンテンツに対して削除の操作が行われた場合、削除対象とされたコンテンツ情報に−１５ポイント付与する。
また、再生対象のコンテンツがＷｅｂサイトである場合、そのＷｅｂサイトを表示し続けている時間を滞在時間として所定のポイントを付与するようにしてもよい。このようにポイントを付与することにより、操作内容に応じてコンテンツ毎の重み付けを行う。
【００２７】
そして、興味解析部３３は、ポイントが付与されたコンテンツ情報が含まれるカテゴリ単位毎にポイントを合算した累積ポイントを算出する。こうして興味解析部３３は、カテゴリ単位毎の累積ポイントを比較することにより、各カテゴリ単位について、ユーザにとって興味の大きい順序を定める。
【００２８】
選択部３４は、操作表示部２０に表示する一覧画面への表示対象とするコンテンツ情報を選択する。一覧画面の表示形式は、設定に応じて各種定められてよい。選択部３４は、設定された表示形式に応じて、一覧画面における表示対象とされる所定数のコンテンツ情報を、興味解析部３３により解析された興味情報などを用いて選択する。
なお、本明細書における表示対象は、操作表示部２０に一度に表示される表示内容に加えて、画面のスクロールにより表示される部分についても、所定の表示領域まで表示対象として扱う対象に含めることとしてよい。
【００２９】
一覧用画像生成部３５は、ユーザの興味に合うコンテンツ情報の一覧を一覧画面として表示するための一覧用画像を生成する。一覧用画像は、表示対象とされた各コンテンツ情報に対応して生成され、テキストデータおよび画像などにより構成される。こうして、一覧用画像は、見た目の美しさを提供すると共に、Ｗｅｂブラウザによりリンク先のＷｅｂサイトを表示させるリンク元としても機能する。
【００３０】
一覧用画像生成部３５は、情報取得部３１により取得された所定種類の配信用情報を用いて、表示対象とされたコンテンツ情報に対応する一覧用画像を生成する。
また、一覧用画像生成部３５は、一覧用画像を生成するために、詳細情報や画像情報など追加で取得が必要な所定種類の他の情報が存在する場合、その所定種類の情報を追加情報として取得する。追加情報は、例えば「サッカーのニュース」のカテゴリ単位については代表する画像データを対象となるＷｅｂサーバから取得するなど、表示対象とされたコンテンツ情報の種類に応じて予め定められてもよい。また、情報取得部３１により取得された所定種類の配信用情報で一覧用画像を生成可能であれば、追加情報なしで一覧用画像を生成してもよい。
【００３１】
このように、一覧用画像生成部３５は、情報取得部３１により取得された所定種類の配信用情報を用いて、例えば画像データと、ＲＳＳフィードに含まれる要約テキストデータとを予め定められたレイアウトで配置するなどの方法により、表示対象として選択された各コンテンツ情報に対応する一覧用画像を生成する。
【００３２】
表示画面生成部３６は、設定された一覧画面の表示形式に応じて、一覧用画像生成部３５で生成された一覧用画像を所定の画面フォーマット内に配置し、操作表示部２０に表示させる一覧表示画面を生成する。一覧用画像は、興味解析部３３で解析された興味情報に基づいて累積ポイントの高いカテゴリ単位から順に並べられ、設定された表示形式に応じて、一覧表示画面の所定の画面フォーマット内に配置される。
【００３３】
さらに、類似するコンテンツ情報が複数ある場合には、それらのコンテンツ情報をグループ化して代表するコンテンツ情報を一覧用画像として配置する。その際、グループ化したコンテンツ情報の数を併せて表示することで、グルーピングが行われていることを示す。
【００３４】
ユーザが一覧画像から一つの一覧用画像を選択することで、対応するコンテンツ情報を表示する。この際、グループ化された代表画像が選択された場合には、そのグループに含まれているコンテンツ情報の一覧を表示する。この生成は、一覧画像の生成と同じように行われる。
【００３５】
なお、本明細書における表示画面は、操作表示部２０に一度に表示される表示内容に加えて、画面のスクロールにより表示される部分についても、所定の表示領域まで表示画面として扱う対象に含めることとしてよい。
【００３６】
次に、本実施形態の端末装置１００による動作例について、図２のフローチャートおよび図３〜図８の画面遷移例を用いて説明する。
【００３７】
本実施形態の端末装置１００では、コンテンツ情報の再生および記録に関連する操作として予め定められた操作が行われると（ステップＳ１）、興味解析部３３が上述のように操作対象とされたコンテンツ情報に対するポイント付与を行う。そして、その付与されたポイントを興味解析部３３が上述のようにカテゴリ単位毎に合算することにより、各カテゴリ単位についての興味情報の解析を行う（ステップＳ２）。
【００３８】
こうした本実施形態の端末装置１００でユーザが各種操作を行うための表示画面の遷移例を図３に示す。
【００３９】
端末装置１００の操作表示部２０には、まずＯＳにより構成されるアプリケーションの選択画面５０１が表示される。このアプリケーションの選択画面５０１では、例えば図４に示すように、起動可能なアプリケーションを示すアイコン群６０１が表示される。そのアイコン群６０１の中には、本実施形態の一覧表示画面を実現するアプリケーションのアイコンも含まれることとする。図４では、本アプリケーションのロゴマーク６０２が含まれたアイコンとして示す。
【００４０】
アプリケーションの選択画面５０１で、本実施形態の機能を実現するアプリケーションのアイコンがクリックされると、図３に示すように、設定に応じて、時間順またはカテゴリ順で構成されたコンテンツ情報の一覧表示画面が表示される。
【００４１】
時間順の一覧表示画面５０２では、例えば図５に示すように、表示モード設定７００として「時間順で表示」と表示され、更新からの経過時間範囲を示す表示単位７０１毎に、所定数の一覧用画像群７０２が表示される。図５の例では、表示単位７０１として、更新から５分以内の範囲を示す「５分前」、更新から５分より長く、３０分以内の範囲を示す「３０分前」、の順に配置される。また、それぞれの経過時間範囲である表示単位７０１に対して、８つずつの一覧用画像が一覧用画像群７０２として配置され、時間順表示画面５０２が構成される。
【００４２】
カテゴリ順の一覧表示画面５０３では、例えば図６に示すように、表示モード設定７００として「カテゴリ順で表示」と表示され、表示対象とする表示カテゴリを示す表示単位７０１毎に、所定数の一覧用画像群７０２が表示される。図６の例では、表示単位７０１として、ユーザにとって興味のあるカテゴリとされた順に「野球」、「コンピュータ」が配置されている。また、それぞれの表示単位７０１である表示カテゴリに対して、８つずつの一覧用画像が一覧用画像群７０２として配置され、カテゴリ順表示画面５０３が構成される。
【００４３】
なお、表示単位７０１とされる表示カテゴリは、カテゴリ判別部３２で判別されるカテゴリ単位と同一であってもよく、複数のカテゴリ単位をまとめたものであってもよい。例えば、「国内ニュース」の表示カテゴリが、「サッカーのニュース」「政治のニュース」などの所定のカテゴリ単位をまとめたものとして構成されてもよい。
【００４４】
また、時間順の一覧表示画面５０２で、更新からの経過時間範囲を示す表示単位７０１をクリックすると、図３に示すように、その表示単位７０１の経過時間範囲に更新されたコンテンツ情報に対応する一覧用画像が並べられた時間帯内一覧表示画面５０４が表示される。
【００４５】
また、カテゴリ順の一覧表示画面５０３で、表示カテゴリを示す表示単位７０１をクリックすると、図３に示すように、その表示単位７０１の表示カテゴリに分類されるコンテンツ情報に対応する一覧用画像が並べられたカテゴリ内一覧表示画面５０５が表示される。
【００４６】
また、上述のような時間順一覧表示画面５０２、カテゴリ順一覧表示画面５０３、時間帯内一覧表示画面５０４、カテゴリ内一覧表示画面５０５のそれぞれで表示された一覧用画像群７０２のいずれかの一覧用画像をクリックすると、図３に示すように、クリックされた一覧用画像に対応するコンテンツ情報の詳細表示画面５０６が表示される。
【００４７】
詳細表示画面５０６では、クリックされた一覧用画像に対応するコンテンツ情報が例えばニュース記事である場合、図７に示すように、記事のタイトル８００と、代表画像８０１と、他の画像群８０２と、記事本文８０３とが表示される。図７の例では、他の画像群８０２として表示される何れかの画像がクリックされると、その画像が代表画像８０１として大きく表示される。
【００４８】
こうして詳細表示画面５０６によりコンテンツ情報の詳細を表示させると共に、不図示の操作部等により、表示したコンテンツ情報を端末装置１００内の記憶部４０に記録させられるようになっている。
【００４９】
また、詳細表示画面５０６は、クリックされた一覧用画像に対応するコンテンツ情報の種類に応じて、その種類のコンテンツ情報を再生するものとして予め定められたアプリケーションやプラグインにより、そのコンテンツの再生を行う。また、不図示の操作部等からのユーザ操作により、コンテンツの再生だけでなく、コンテンツに対する投稿、記録、削除等の各種操作ができるようになっている。
【００５０】
例えばコンテンツ情報の種類がＴＶ番組である場合、この詳細表示画面５０６でＴＶ番組を視聴できると共に、ＴＶ番組の録画操作、タイマー録画設定等の各種操作を行うことができる。
また、例えばコンテンツ情報の種類が各種のＳＮＳである場合、この詳細表示画面５０６では、選択された人についてのＳＮＳでの投稿記事が投稿時間の新しい順に表示され、各投稿記事へのコメント、画像の装置内への記録等の各種操作を行うことができる。
【００５１】
また、上述のような時間順一覧表示画面５０２、カテゴリ順一覧表示画面５０３、時間帯内一覧表示画面５０４、カテゴリ内一覧表示画面５０５、詳細表示画面５０６の何れかから、設定画面を起動させることにより、図３に示すように、興味設定画面５０７が表示される。
【００５２】
興味設定画面５０７では、例えば図８に示すように、カテゴリ単位を大きくまとめた大分類９０１毎に、表示カテゴリ群９０２が関連付けられて表示される。表示カテゴリ群９０２では、その大分類９０１に分類される表示カテゴリがまとめて表示される。また、各表示カテゴリについて、興味解析部３３で解析された興味情報により、興味が大きくあるとされた順に色分けされて表示される。図８では、１０段階の色分けで「よく見ている」から「あまり見ていない」まで段階分けして表示した場合の例を示す。
【００５３】
こうした興味設定画面５０７により、ユーザは興味解析部３３で解析された興味情報が、各表示カテゴリについてどのようになっているかを確認することができる。また、不図示の設定ボタン等により、特定の表示カテゴリに分類されるコンテンツ情報だけを、上述した各一覧表示画面における一覧用画像群７０２に表示させないように設定できるようにしてもよい。
【００５４】
以上のような画面遷移により、ユーザが各種コンテンツ情報の再生および記録に関連する各種操作を行うと、図２ステップＳ２で上述のようにして、興味解析部３３がコンテンツ情報に対するポイント付与を行い、カテゴリ単位毎に興味情報の解析を行う。
【００５５】
選択部３４は、興味解析部３３により解析された各カテゴリ単位についての累積ポイントに基づいて、累積ポイントの大きいカテゴリ単位から順にユーザにとって興味が大きいカテゴリ単位として、表示順序を設定する（ステップＳ３）。
【００５６】
ここで、上述したアプリケーション選択画面５０１で本実施形態の機能を実現するアプリケーションのアイコンがクリックされることで表示される初期の一覧表示画面が、時間順の一覧表示画面５０２として設定されているか、カテゴリ順の一覧表示画面５０３として設定されているかを、選択部３４は確認する。
【００５７】
初期の一覧表示画面が時間順の一覧表示画面５０２として設定されている場合、選択部３４は、上述した表示単位７０１となる更新からの各経過時間範囲について、累積ポイントの大きいカテゴリ単位から順に、そのカテゴリ単位に含まれるコンテンツ情報を表示対象とするよう、そのカテゴリ単位に含まれるコンテンツ情報を所定数まで抽出する（ステップＳ４）。
【００５８】
各表示単位７０１に対して、表示対象として一覧用画像群７０２に含める一覧用画像の数は、上述のように、表示形式により予め定められている。このため、選択部３４は、ステップＳ４の抽出として、各表示単位７０１に対して、表示対象とするコンテンツ情報をその一覧用画像の数だけ抽出する。
このため、情報取得部３１により取得された所定種類の配信用情報の内、更新からの経過時間範囲が所定の範囲内であるものについて、累積ポイントの大きいカテゴリ単位に含まれるものから順に、そのカテゴリ単位に含まれるコンテンツ情報を表示対象として抽出する。
【００５９】
コンテンツ情報を各カテゴリ単位についていくつずつ抽出するかは、設定等に応じて適宜定められることとしてよい。あるいは、各カテゴリ単位についていくつずつ抽出するかを、各カテゴリ単位の累積ポイントに応じて所定の方法で算出するようにしてもよい。また、各カテゴリ単位について、そのカテゴリ単位に含まれる各コンテンツ情報の一覧用画像の表示順序は、所定の方法で算出するなど、各種方法で定めてよい。
【００６０】
初期画面がカテゴリ順の一覧表示画面５０３として設定されている場合、選択部３４は、累積ポイントの大きい表示カテゴリから順に、上位所定数の表示カテゴリについて、その表示カテゴリに分類されるカテゴリ単位に含まれるコンテンツ情報を表示対象とするよう、所定数まで抽出する（ステップＳ５）。
【００６１】
各表示単位７０１に対して、表示対象として一覧用画像群７０２に含める一覧用画像の数は、上述のように、表示形式により予め定められている。このため、選択部３４は、ステップＳ５の抽出として、各表示単位７０１に対して、表示対象とするコンテンツ情報をその一覧用画像の数だけ抽出する。
このため、情報取得部３１により取得された所定種類の配信用情報の内、累積ポイントの大きさが上位所定数の表示カテゴリについて、累積ポイントの大きいカテゴリ単位に含まれるものから順に、そのカテゴリ単位に含まれるコンテンツ情報を表示対象として抽出する。
【００６２】
コンテンツ情報を各カテゴリ単位についていくつずつ抽出するかは、設定等に応じて適宜定められることとしてよい。あるいは、各カテゴリ単位についていくつずつ抽出するかを、各カテゴリ単位の累積ポイントに応じて所定の方法で算出するようにしてもよい。また、各カテゴリ単位について、そのカテゴリ単位に含まれる各コンテンツ情報の一覧用画像の表示順序は、所定の方法で算出するなど、各種方法で定めてよい。
【００６３】
表示されたコンテンツ情報に、同一話題のコンテンツ情報が複数ある場合、類似するコンテンツ情報が一覧に並ぶと見づらいため、グループ化して、まとめて何件と表示したい。そこで、類似するコンテンツ情報が複数ある場合には、それらをグループ化して代表するコンテンツ情報を一覧用画像に表示し、類似するコンテンツ情報の数を一覧用画像に表示する。
【００６４】
図５と図６に示すように、一覧用画像群７０２のＢは類似するコンテンツ情報が３６個あることを示し、一覧用画像群７０２のｆは類似するコンテンツ情報が１５個あることを示している。
なお、類似するコンテンツ情報の数を表示する位置は、一覧用画像に限定されず、一覧用画像の外側に表示しても良い。
【００６５】
グループ化されたコンテンツ情報は、詳細表示するコンテンツ情報を選択できる。Ｂまたはｆを選択することにより、それぞれ３６件と１５件のコンテンツ情報を全て表示でき、さらに、その内の１つのコンテンツ情報を選択すると詳細を表示できる。
【００６６】
類似するコンテンツ情報の選択方法は、類似度が高いものを集め、類似度は情報に含まれるキーワードや情報の配信時間により判定する。例えば、表示されたコンテンツ情報のタイトルから形態素解析により名詞を取り出し、他のコンテンツ情報中からも同様に、名詞を取り出す。名詞の共起に基づくJaccard係数などで、高い類似度のコンテンツ情報を判定する。
【００６７】
また、類似するコンテンツ情報の他の選択方法は、単語の出現回数で判定する場合、一般にTF/IDF法と知られている、他のドキュメントに出てくるかを判定し、一般的に記事に出てきにくい単語が類似している場合はまとまり易く、記事に出てき易い単語はまとまりにくいことを利用する。
【００６８】
類似する情報の数が表示されるコンテンツ情報の中の代表的なコンテンツ情報の１つは、情報のページビュー、PageRankなどの他のユーザによる注目度によって決定しても良いし、情報量（文字数や写真の有無）などで決定しても良い。
また、コンテンツ情報の一般的（マス的、平均値、社会的）な重要度を求めても良い。一定時間あたりの平均アクセス数、GoogleのPageRank、サイト内での扱い方（pickupされているか、掲載場所はどこかなど）から重要度を計算する。
【００６９】
こうして表示対象とするコンテンツ情報が選択部３４により抽出されると、一覧用画像生成部３５は、抽出された表示対象のコンテンツ情報に対応する一覧用画像を生成する。一覧用画像を生成するために必要な情報は、例えば代表画像と所定長さ範囲内の要約文など、コンテンツ情報に応じて予め定められていることとする。
このため、一覧用画像生成部３５は、抽出された表示対象の各コンテンツ情報について、そのコンテンツ情報について情報取得部３１で取得された所定種類の配信用情報で一覧用画像を生成するために必要な情報が十分であるか、不足しているかを確認する。不足している場合、一覧用画像生成部３５は、例えば代表画像のデータなど、その不足している詳細情報を追加情報として、配信元のＷｅｂサーバ等から取得する（ステップＳ６）。
【００７０】
表示対象の各コンテンツ情報について、一覧用画像を生成するために必要な情報が揃うと、一覧用画像生成部３５は、それら情報を用いて各コンテンツ情報についての一覧用画像を生成する（ステップＳ７）。
【００７１】
表示画面生成部３６は、一覧用画像生成部３５により生成された一覧用画像を、設定された表示形式の一覧表示画面における所定位置に配置し、一覧表示画面を生成する（ステップＳ８）。
【００７２】
以上のように、上述した本実施形態の端末装置１００は、各種のＷｅｂサーバ２００から各カテゴリ単位のコンテンツ情報についての所定種類の配信用情報を取得し、取得した情報を端末装置１００内に格納する。また、興味解析部３３により、ユーザの操作内容を用いた興味解析を行う。こうして、端末装置１００内に格納した各カテゴリ単位のコンテンツ情報についての所定種類の配信用情報から、表示対象とするコンテンツ情報をユーザの興味順に選択し、一覧用画像による一覧表示画面を生成する。
そして、一覧表示画面に配置された一覧用画像がクリックされると、例えばＷｅｂブラウザなど所定のアプリケーションやプラグインにより、コンテンツ情報の再生を行わせる。
【００７３】
このため、外部のサーバなどにユーザの興味情報を把握させたり、メールアドレスなどの個人情報を登録したりする必要なく、ユーザにとって興味のあるコンテンツ情報の一覧だけを選択的に表示させることができる。
【００７４】
このため、ユーザの興味情報が外部のサーバに把握されることで、不要な広告メール等が大量に送信される心配もなく、プライバシー保護の観点からも安心な端末装置１００とすることができる。
また、各種の個人情報も外部に漏れるおそれがなく、確実に保護することができる。
【００７５】
また、ユーザにとって興味のある順にコンテンツ情報の一覧用画像を表示し、興味の大きさが所定順位より小さいカテゴリ単位のコンテンツ情報を表示対象から外した一覧表示画面を自動的に表示させることができる。
【００７６】
このため、ユーザにとっては、興味のあるコンテンツ情報の一覧だけが自動的かつ選択的に表示されることとなり、もっと頻繁に使いたいと思わせる装置とすることができる。
さらに、見た目の美しさを提供する一覧用画像が並べられた一覧表示画面と、その一覧用画像をクリックするだけで、コンテンツ情報を再生できる利便性により、ユーザにとって日常的に使いたくなる操作感を提供することができる。
【００７７】
また、ユーザは特に設定操作する必要もなく、ユーザ自身が見たいコンテンツを再生するなど、ユーザ自身にとってやりたい操作をただしているだけで、使用の度に興味解析部３３による興味情報が蓄積されていく。
このため、使い込むに従ってユーザの興味をより正確に反映させることができ、ユーザにとって日常的に使いたくなる端末装置１００とすることができる。
【００７８】
なお、上述した各実施形態は本発明の好適な実施形態であり、本発明はこれに限定されることなく、本発明の技術的思想に基づいて種々変形して実施することが可能である。
【００７９】
例えば、興味解析部３３による興味情報の解析方法は、上述のようにコンテンツ情報への操作内容に応じてポイントを付与する方法に限定されず、コンテンツに対するユーザの興味の大きさを解析可能であれば任意の方法を用いてよい。
【００８０】
また、上述した一覧表示画面の表示形式や、具体的な表示画面例は一例であり、本発明はこれに限定されない。ユーザの興味の大きさに応じて一覧用画像を一覧表示できれば、表示形式や表示画面の構成は設定等に応じて各種のものであってよい。例えば、一覧表示画面における各表示単位７０１に対して配置される一覧用画像群７０２に、一覧用画像をいくつずつ含めるかなどの表示個数は、設定等に応じて任意に定めることとしてよい。
【００８１】
また、上述した実施形態の各機能部は、上述した機能を実現可能であれば実現する構成は任意であってよく、例えば記録媒体に記録されたプログラムの処理手順を１つのＣＰＵが実行することで実現されてもよく、複数の機能モジュールにより実現されてもよい。
【００８２】
また、上述した実施形態としての端末装置１００を実現するための処理手順をプログラムとして記録媒体に記録することにより、本発明の実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００８３】
この本発明に係るプログラムによれば、当該プログラムによって制御されるコンピュータに、上述した実施形態における各機能を実現させることができる。
【符号の説明】
【００８４】
１００    端末装置
２００    Ｗｅｂサーバ
１０    通信部
２０    操作表示部
３０    制御部
３１    情報取得部
３２    カテゴリ判別部
３３    興味解析部
３４    選択部
３５    一覧用画像生成部
３６    表示画面生成部
４０    記憶部
４１    カテゴリ単位テーブル
６０１    アイコン群
６０２    ロゴマーク
７００    表示モード設定
７０１    表示単位
７０２    一覧用画像群
【図１】
2014157542.tif 000003
【図２】
2014157542.tif 000004
【図３】
2014157542.tif 000005
【図４】
2014157542.tif 000006
【図５】
2014157542.tif 000007
【図６】
2014157542.tif 000008
【図７】
2014157542.tif 000009
【図８】
2014157542.tif 000010